(57)【要約】【課題】従来は、梱包体をテープ或いはバンドを使用して２個以上の止め具を用いて梱包体を十字掛けに梱包しているが、梱包体をテープ或いはバンドを使用して２個以下の止め具を用いてを十字掛けに梱包しようとするものである。【解決手段】従来は、梱包体をテープ或いはバンドを使用して２個以上の止め具を用いて梱包体を十字掛けに梱包しているが、本発明の十字掛け止め具を用いる事に依り、１個の十字掛け止め具で、梱包対をテープ或いはバンドを使用して梱包体を梱包可能にするものである。【選択図】    図２
2004149214.tif 000002
【特許請求の範囲】
【請求項１】
１個の止め具で上下、左右、前後を梱包可能とする止め具でる。
【請求項２】
止め具の材質は、特定するものではない。
【請求項３】
既存の止め具に、テープ或いはバンドを通す為のガイドを有する止め具である。
【請求項４】
ガイドには、２箇所の穴を有する。
【請求項５】
既存の止め具の隣に位置するガイドの通し孔は、テープ或いはバンドで梱包体を結束するための穴である。
【請求項６】
既存の止め具に附帯するガイドの傾斜した通し孔は、テープ或いは、バンドを上下、左右、前後に梱包体を結束するための穴である。
【請求項７】
ガイドに有する傾斜した通し孔は、ガイド本体の通り芯を通るものとし、その穴の角度は１０度から８０度の範囲内とするものである。
【発明の詳細な説明】
【０００１】従来は、梱包体を包装するために、テープ或いはバンドを使用して２個以上の止め具で梱包体を結束していたが、より簡単に梱包するために１個の止め具でテープ或いはバンドを使用して梱包体を結束可能にするものである。
【発明の属する技術分野】
【０００２】Ｂ６５Ｄ  ５／４４
【従来の技術】従来は、梱包体をテープ或いはバンドを使用して２個以上の止め具を用いて梱包体を十字掛けに梱包している。
【特許文献１】
【特許文献２】
【非特許文献１】
【非特許文献２】
【０００３】
【発明が解決しようとする課題】
【０００４】従来は、梱包体をテープ或いはバンドを使用して２個以上の止め具を用いて梱包体を十字掛けに梱包しているが、梱包体をテープ或いはバンドを使用して２個以下の止め具を用いてを十字掛けに梱包しようとするものである。
【課題を解決するための手段】
【０００５】既存の止め具にテープ或いはバンドを通す為の２箇所の穴を有するガイドを附帯させる。
【０００６】テープ或いはバンドＤの先端を２っ折にし、既存の止め具Ｃの下側より既存の止め具通し孔Ｅの上方へ通し、フックＢをフックＢ取り付け部分より既存の止め具に平行に倒し、テープ或いはバンドＤの先端の２っ折にした部分をフックＢに引っ掛ける。
【０００７】フックＢに引っ掛けた２っ折にしたテープ或いはバンドＤ短い方の端部を既存の止め具胴体Ｊの下側を通し、既存の止め具Ｉに隣接するガイド通し孔Ｆの中を通し上方へ出しておく。
【０００８】フックＢに引っ掛けた２っ折にしたテープ或いはバンドＤの長い方の端部を既存の止め具胴体Ｊ及び、ガイド通し孔Ｆの下側を通過させ、ガイドの傾斜したガイドの通し孔Ｇの中を上方に向けて通す。
【０００９】ガイドの傾斜したガイドの通し孔Ｇの中を上方に向けて通したテープ或いはバンドＤの長い方の端部をガイド通り芯より９０度の方向へ折り曲げ引っ張り、梱包体を一周させる。
【００１０】梱包体Ｌを一周したテープ或いはバンドＤの長い方の端部をガイドの通し孔Ｇの中をガイド上面よりガイド下面へ向けて通しガイド通り芯方向へ折り曲げ引っ張り、ガイド通り芯と平行にもしくは、ガイド通り芯上を通り、梱包体Ｌを一周させる。
【００１１】ガイド通り芯と平行もしくは、ガイド通り芯上を通り、梱包体Ｌを一周したテープ或いはバンドＤの長い方の端部を既存の止め具胴体Ｃ下側を通し、既存の止め具通し孔Ｅの中を上方に通す。
【００１２】既存の止め具通し孔Ｅの中を上方に通したテープ或いはバンドＤの長い方の端部は、フックＡをフックＡ取り付け部分より既存の止め具に平行に倒し、フックＡの上を通し、既存の止め具通し孔Ｅの中を下方に向け通す。
【００１３】既存の止め具通し孔Ｅの中を下方に向け通したテープ或いはバンドＤは、既存の止め具胴体Ｃ下側を通し、梱包体Ｌの上面と平行に引き出す。
【００１４】梱包体Ｌの上面と平行に引き出されたテープ或いはバンドＤの短い方の端部を、梱包体Ｌの上面と平行に相反する左右の方向に引っ張る事により梱包体Ｌをテープ或いはバンドＤを用いて結束し上下、左右、前後に梱包する。
【発明の実施の形態】
【００１５】以下、本発明の実施の形態に基ずいて詳細に説明する。この実施の形態は、本説明の十字掛け止め具の使用方法を限定するものではない。
【実施例】
【００１６】既存の止め具にテープ或いはバンドを通す為の２箇所の穴を有するガイドを附帯させる。
【００１７】テープ或いはバンドＤの先端を２っ折にし、既存の止め具Ｃの下側より既存の止め具通し孔Ｅの上方へ通し、フックＢをフックＢ取り付け部分より既存の止め具に平行に倒し、テープ或いはバンドＤの先端の２っ折にした部分をフックＢに引っ掛ける。
【００１８】フックＢに引っ掛けた２っ折にしたテープ或いはバンドＤ短い方の端部を既存の止め具胴体Ｊの下側を通し、既存の止め具Ｉに隣接するガイド通し孔Ｆの中を通し上方へ出しておく。
【００１９】フックＢに引っ掛けた２っ折にしたテープ或いはバンドＤの長い方の端部を既存の止め具胴体Ｊ及び、ガイド通し孔Ｆの下側を通過させ、ガイドの傾斜したガイドの通し孔Ｇの中を上方に向けて通す。
【００２０】ガイドの傾斜したガイドの通し孔Ｇの中を上方に向けて通したテープ或いはバンドＤの長い方の端部をガイド通り芯より９０度の方向へ折り曲げ引っ張り、梱包体を一周させる。
【００２１】梱包体Ｌを一周したテープ或いはバンドＤの長い方の端部をガイドの通し孔Ｇの中をガイド上面よりガイド下面へ向けて通しガイド通り芯方向へ折り曲げ引っ張り、ガイド通り芯と平行にもしくは、ガイド通り芯上を通り、梱包体Ｌを一周させる。
【００２２】ガイド通り芯と平行もしくは、ガイド通り芯上を通り、梱包体Ｌを一周したテープ或いはバンドＤの長い方の端部を既存の止め具胴体Ｃ下側を通し、既存の止め具通し孔Ｅの中を上方に通す。
【００２３】既存の止め具通し孔Ｅの中を上方に通したテープ或いはバンドＤの長い方の端部は、フックＡをフックＡ取り付け部分より既存の止め具に平行に倒し、フックＡの上を通し、既存の止め具通し孔Ｅの中を下方に向け通す。
【００２４】既存の止め具通し孔Ｅの中を下方に向け通したテープ或いはバンドＤは、既存の止め具胴体Ｃ下側を通し、梱包体Ｌの上面と平行に引き出す。
【００２５】梱包体Ｌの上面と平行に引き出されたテープ或いはバンドＤの短い方の端部を、梱包体Ｌの上面と平行に相反する左右の方向に引っ張る事により梱包体Ｌをテープ或いはバンドＤを用いて結束し上下、左右、前後に梱包する。
【発明の効果】
【００２６】従来は、梱包体をテープ或いはバンドを使用して２個以上の止め具を用いて梱包体を十字掛けに梱包しているが、本発明の十字掛け止め具を用いる事に依り、１個の十字掛け止め具で、梱包体をテープ或いはバンドを使用して梱包体を梱包可能にするものである。
【図面の簡単な説明】
【図１】「十字掛け止め具を示した詳細図である。」
【図２】「十字掛け止め具を示した平面図である。」
【図３】「十字掛け止め具を示した側面図である。」
【図４】「十字掛け止め具実施例上面立体図である。」
【図５】「十字掛け止め具実施例下面立体図である。」
【符号の説明】
１フックＡ、２フックＢ、３既存の止め具胴体Ｃ、
４テープ或いはバンドＤ、５既存の止め具通し孔Ｅ
６ガイド通し孔Ｆ、７ガイド傾斜通し孔Ｇ、８ガイド本体Ｈ、
９既存の止め具Ｉ、１０既存の止め具胴体Ｊ、１１梱包体Ｌ、
【図１】
2004149214.tif 000003
【図２】
2004149214.tif 000004
【図３】
2004149214.tif 000005
【図４】
2004149214.tif 000006
【図５】
2004149214.tif 000007